(57)【要約】  本発明は、無線技術の分野に関し、より詳細には、リモート無線ユニットのチャネル送信電力設定に関する。本発明の実施形態は、リモート無線ユニットのチャネル送信電力設定方法および基地局を提供する。第1の基地局が、第1のUEに信号を、RRUの第1のチャネルおよび第2のチャネルをそれぞれ使用して第1の電力で送信し、UEに信号を、RRUの第3のチャネルおよび第4のチャネルをそれぞれ使用して第2の電力で送信する。
2019521585.tif 000002
【特許請求の範囲】
【請求項１】
リモート無線ユニットRRUのチャネル送信電力設定方法であって、前記方法は、
evolved NodeB eNBによって、ロングタームエボリューションLTEのユーザ機器UEに信号を、RRUの第1のチャネルおよび第2のチャネルをそれぞれ使用して第1の電力で送信するステップと、
前記eNBによって、前記LTEのUEに信号を、前記RRUの第3のチャネルおよび第4のチャネルをそれぞれ使用して第2の電力で送信するステップと、
を含み、
前記第2の電力と第3の電力との合計は、前記第1の電力以下で、前記第3の電力は、非LTEの基地局によって非LTEのUEに信号を、前記RRUの前記第3のチャネルおよび前記第4のチャネルを使用して送信するために使用される、
方法。
【請求項２】
前記eNBは、参照信号RSのリソースエレメントRE電力、PA、およびPBに基づいて前記第1の電力を決定し、PAは、前記RSの前記RE電力と、RSがない直交周波数分割多重OFDMシンボル内の物理ダウンリンク共有チャネルPDSCHのRE電力との間のオフセットであり、PBは、RSがあるOFDMシンボル内のPDSCHのRE電力の、RSがない前記OFDMシンボル内の前記PDSCHの前記RE電力に対する比である、請求項1に記載の方法。
【請求項３】
前記eNBは、前記第3の電力を取得する、請求項1または2に記載の方法。
【請求項４】
前記非LTEの基地局は、
グローバル移動通信システムGSM（登録商標、以下同じ）の基地局、または
ユニバーサル移動通信システムUMTSの基地局
を備える、請求項1から3のいずれか一項に記載の方法。
【請求項５】
処理ユニットと送受信ユニットとを備える基地局であって、
前記処理ユニットは、前記送受信ユニットを使用して、ロングタームエボリューションLTEのユーザ機器UEに信号を、RRUの第1のチャネルおよび第2のチャネルをそれぞれ使用して第1の電力で送信するように構成され、
前記処理ユニットは、前記LTEのUEに信号を、前記RRUの第3のチャネルおよび第4のチャネルをそれぞれ使用して第2の電力で送信するようにさらに構成され、
前記第2の電力と第3の電力との合計は、前記第1の電力以下で、前記第3の電力は、非LTEの基地局によって非LTEのUEに信号を、前記RRUの前記第3のチャネルおよび前記第4のチャネルを使用して送信するために使用される、
基地局。
【請求項６】
前記処理ユニットは、参照信号RSのリソースエレメントRE電力、PA、およびPBに基づいて前記第1の電力を決定するように構成され、PAは、前記RSの前記RE電力と、RSがない直交周波数分割多重OFDMシンボル内の物理ダウンリンク共有チャネルPDSCHのRE電力との間のオフセットであり、PBは、RSがあるOFDMシンボル内のPDSCHのRE電力の、RSがない前記OFDMシンボル内の前記PDSCHの前記RE電力に対する比である、請求項5に記載の基地局。
【請求項７】
前記基地局は、インタフェースユニットをさらに備え、前記処理ユニットは、前記インタフェースユニットを使用して前記第3の電力を取得するように構成される、請求項5または6に記載の基地局。
【請求項８】
前記非LTEの基地局は、
グローバル移動通信システムGSMの基地局、または
ユニバーサル移動通信システムUMTSの基地局
を備える、請求項5から7のいずれか一項に記載の基地局。
【請求項９】
プロセッサと送受信機とを備える基地局であって、
前記プロセッサは、前記送受信機を使用して、ロングタームエボリューションLTEのユーザ機器UEに信号を、RRUの第1のチャネルおよび第2のチャネルをそれぞれ使用して第1の電力で送信するように構成され、
前記プロセッサは、前記LTEのUEに信号を、前記RRUの第3のチャネルおよび第4のチャネルをそれぞれ使用して第2の電力で送信するようにさらに構成され、
前記第2の電力と第3の電力との合計は、前記第1の電力以下で、前記第3の電力は、非LTEの基地局によって非LTEのUEに信号を、前記RRUの前記第3のチャネルおよび前記第4のチャネルを使用して送信するために使用される、
基地局。
【発明の詳細な説明】
【技術分野】
【０００１】
本発明は、無線技術の分野に関し、より詳細には、リモート無線ユニットのチャネル送信電力設定に関する。
【背景技術】
【０００２】
無線技術の発展に伴い、セル容量に関する要求がますます高まってきている。多入力・多出力（Multiple−Input Multiple−Output、MIMO）技術は、複数の送信アンテナと受信アンテナとが送信端と受信端とでそれぞれ使用されることを意味する。MIMO技術によって、空間リソースをフルに使用することができ、多入力・多出力が、複数のアンテナを使用することによって実施され、その結果、システムまたはセルの容量を、周波数スペクトルリソースまたはアンテナ送信電力を増加させることなく指数的に増大させることができる。例えば、ロングタームエボリューション（Long Term Evolution、LTE）ネットワークについて、4個の送信チャネルと4個の受信チャネル（4T4R）とを有するセルには、2個の送信チャネルと2個の受信チャネル（2T2R）とを有するセルよりも多くの容量利得がある。より多くの送信アンテナと受信アンテナとを使用することは、LTE evolutionのトレンドである。
【０００３】
ネットワーク配備の際、分散型基地局構造が使用され得、つまり、ベースバンドユニット（Baseband Unit、BBU）およびリモート無線ユニット（Remote Radio Unit、RRU）を備える構造が使用され得る。BBUおよびRRUは、光ファイバを使用して接続される。1つのBBUは、1または複数のRRUをサポートし得る。
【０００４】
多周波帯および複数規格サポートの特徴を有するRRUは、多周波帯および複数規格のネットワークの配備要件を満足することができる。RRUは、マルチモードRRUとも称され得る。例えば、グローバル移動通信システム（Global System for Mobile Communications、GSM（登録商標、以下同じ））またはユニバーサル移動通信システム（Universal Mobile Telecommunications System、UMTS）は、4T4RのRRUをLTEと共有する。4T4RのRRUには、4個の送信チャネルと4個の受信チャネルとがある。2T2RモードにあるLTEセルについては、RRUの2個のチャネルがLTEで使用され、他のチャネルは、GSMセルまたはUMTSセルによって使用され得る。LTEセルが4T4Rモードに変化すると、RRUの4個のチャネルが、LTEセルによって使用される必要がある。この場合、GSMセルまたはUMTSセルは、RRUのいくつかのチャネルをLTEセルと共有する。
【０００５】
LTEセルが、RRUのいくつかのチャネルを、別の規格をサポートするセルと共有するとき、LTEセルにとって、RRUの共有されないチャネルの存在に起因するRRUのチャネル送信電力の無駄の問題がある。
【発明の概要】
【課題を解決するための手段】
【０００６】
本発明の実施形態は、LTEセルと、別の規格をサポートするセルとが、RRUのいくつかのチャネルを共有するときに引き起こされる、RRUのチャネル送信電力の無駄の問題を解決するための、RRUのチャネル送信電力設定方法および基地局を提供する。
【０００７】
第1の態様によれば、本発明の一実施形態は、リモート無線ユニットのチャネル送信電力設定方法を提供する。その方法は、evolved NodeB（eNB）によって、ロングタームエボリューション（LTE）のユーザ機器（UE）に信号を、リモート無線ユニット（RRU）の第1のチャネルおよび第2のチャネルをそれぞれ使用して第1の電力で送信するステップと、
eNBによって、LTEのUEに信号を、RRUの第3のチャネルおよび第4のチャネルをそれぞれ使用して第2の電力で送信するステップと、を含み、
第2の電力と第3の電力との合計は、第1の電力以下で、第3の電力は、非LTEの基地局によって非LTEのUEに信号を、RRUの第3のチャネルおよび第4のチャネルを使用して送信するために使用される。
【０００８】
第2の態様によれば、本発明の一実施形態は、基地局を提供する。基地局は、処理ユニットと送受信ユニットとを備え、処理ユニットは、送受信ユニットを使用して、ロングタームエボリューションLTEのユーザ機器UEに信号を、RRUの第1のチャネルおよび第2のチャネルをそれぞれ使用して第1の電力で送信するように構成され、
処理ユニットは、LTEのUEに信号を、RRUの第3のチャネルおよび第4のチャネルをそれぞれ使用して第2の電力で送信するようにさらに構成され、
第2の電力と第3の電力との合計は、第1の電力以下で、第3の電力は、非LTEの基地局によって非LTEのUEに信号を、RRUの第3のチャネルおよび第4のチャネルを使用して送信するために使用される。
【０００９】
第3の態様によれば、本発明の一実施形態は、別の基地局を提供する。基地局は、プロセッサと送受信機とを備え、プロセッサは、送受信機を使用して、ロングタームエボリューションLTEのユーザ機器UEに信号を、RRUの第1のチャネルおよび第2のチャネルをそれぞれ使用して第1の電力で送信するように構成され、
プロセッサは、LTEのUEに信号を、RRUの第3のチャネルおよび第4のチャネルをそれぞれ使用して第2の電力で送信するようにさらに構成され、
第2の電力と第3の電力との合計は、第1の電力以下で、第3の電力は、非LTEの基地局によって非LTEのUEに信号を、RRUの第3のチャネルおよび第4のチャネルを使用して送信するために使用される。
【００１０】
信号はLTEのUEに、RRUの第1のチャネルおよび第2のチャネルをそれぞれ使用して第1の電力で送信され、また、信号はLTEのUEに、RRUの第3のチャネルおよび第4のチャネルをそれぞれ使用して第2の電力で送信され、その結果、LTEの基地局と非LTEの基地局とがRRUのいくつかのチャネルを共有するシナリオにおけるRRUのチャネル電力の無駄の問題が避けられる。また、信号は第1のチャネルおよび第2のチャネルを使用してフルの電力で送信されるので、LTEネットワークのカバレッジ性能の低下も避けられる。
【００１１】
本発明の実施形態における技術ソリューションをより明確に説明するために、以下に、本発明の実施形態を説明するために必要な添付図面について簡単に説明する。明らかに、以下の説明において添付図面は、本発明に対する単なるいくつかの実施形態を示しているに過ぎず、通常の当業者であれば、創意工夫することなく、これらの添付図面から他の図面をさらに派生させ得る。
【図面の簡単な説明】
【００１２】
【図１】本発明の一実施形態に係る、可能なアプリケーションシナリオの模式図である。
【図２】本発明の一実施形態に係る、可能なRRUのチャネル送信電力設定の概略フローチャートである。
【図３】本発明の一実施形態に係る、可能な第1の基地局の概略構成図である。
【図４】本発明の一実施形態に係る、別の可能な第1の基地局の概略構成図である。
【発明を実施するための形態】
【００１３】
LTEセルと、別の規格をサポートするセルとが、RRUのいくつかのチャネルを共有するときに引き起こされる、RRUのチャネル送信電力の無駄の問題を解決するために、RRUのチャネル送信電力設定方法および装置を本発明の実施形態に記載する。
【００１４】
図1に示すように、図1は、本発明の一実施形態に係る、可能なアプリケーションシナリオの模式図である。基地局10は、LTEのevolved NodeB（evolved NodeB、eNB）であり、基地局20は、UMTSまたはGSMの基地局である。基地局10は、BBU101、RRU102、およびアンテナ103を含み、基地局20は、BBU201、RRU102、およびアンテナ203を含む。このアプリケーションシナリオでは、RRU102は、LTEと、UMTSまたはGSMとの両方をサポートすることができる。LTE端末104は、基地局10と通信し、端末204は基地局20と通信する。このアプリケーションシナリオにおける基地局10は、代替的にLTEアドバンスト（LTE−Advanced、LTE−A）の基地局であってもよい。
【００１５】
本発明の実施形態における端末は、無線端末であり得る。この無線端末は、携帯電話（または「セル方式の」電話と称される）、または移動端末を有するコンピュータなどの移動端末であり得る。例えば、この無線端末は、ポータブル型の、ポケットサイズの、ハンドヘルド型の、コンピュータ内蔵型の、または車載型のモバイル機器であり得る。この無線端末は、無線接続ネットワークと音声および／またはデータをやりとりする。この端末は、加入者ユニット（Subscriber Unit、SU）、加入者局（Subscriber Station、SS）、移動局（Mobile Station、MS）、アクセス端末（Access Terminal、AT）、ユーザ端末（User Terminal、UT）、ユーザエージェントまたはユーザ機器（User Equipment、UE）とも称され得る。
【００１６】
本発明の実施形態に記載のアプリケーションシナリオは、本発明の実施形態において技術ソリューションをより明確に記載することを目的としており、本発明の実施形態で提供された技術ソリューションを制限することを意図するものではない。通常の当業者であれば、技術が進化し、新たなアプリケーションシナリオが出現するにつれ、本発明の実施形態で提供された技術ソリューションは、同様の技術的問題にさらに適用できることが分かり得る。
【００１７】
説明を容易にするため、本発明の実施形態では、LTEとUMTSとが、4個のチャネルを有するマルチモードRRUを共有する例を説明に使用している。
【００１８】
LTEについては、リソースブロック（Resource Block、RB）は、12個のサブキャリアおよび7個の直交周波数分割多重（Orthogonal Frequency Division Multiplexing、OFDM）シンボルを有している。7個のOFDMシンボルは2つのタイプ、すなわち、参照信号（Reference Signal、RS）があるOFDMシンボルと、RSがないOFDMシンボルとに分類される。RSがないOFDMシンボルはAタイプのOFDMシンボルとも称され得、RSがあるOFDMシンボルは、BタイプのOFDMシンボルとも称され得る。アンテナが4個あるとき、シンボル0、1、および4にはRSがあり、他の4個のシンボルにはRSがない。
【００１９】
EAは、RSがないOFDMシンボル内の物理ダウンリンク共有チャネル（Physical Downlink Shared Channel、PDSCH）のリソースエレメント（Resource Element、RE）電力を示し、EBは、RSがあるOFDMシンボル内のPDSCHのRE電力を示し、ERSは、RSのRE電力を示している。ρAは、RSがないOFDMシンボル内のPDSCHのRE電力の、RSのRE電力に対する比を示し、リニア値である。ρBは、RSがあるOFDMシンボル内のPDSCHのRE電力の、RSのRE電力に対する比を示し、リニア値である。一般に、PA＝ρAであり、PAは、RSのRE電力と、RSがないOFDMシンボル内のPDSCHのRE電力との間のオフセットを示し、PBは、RSがあるOFDMシンボル内のPDSCHのRE電力の、RSがないOFDMシンボル内のPDSCHのRE電力に対する比を示す。PBと
【数１】
2019521585.tif 000003
との間の関係を表1に示す。
【００２０】
【表１】
2019521585.tif 000004
【００２１】
従来技術では、4個の送信チャネル（4T）について、eNBは、ERSならびにパラメータPAおよびPBのグループに基づいて、各アンテナポートの送信電力を決定、すなわち、4個のチャネルを有するマルチモードRRUの各チャネルの電力を決定する。
【００２２】
LTEとUMTSとがRRUを共有する配備シナリオでは、RRUの4個のチャネルがLTEで使用され、RRUの2個の送信チャネルはUMTSで使用されることが想定される。例えば、RRUの第3のチャネルおよび第4のチャネルがUMTSで使用される。LTEでは、RRUの各チャネルの送信電力は、ERSならびにパラメータPAおよびPBのグループに基づいて決定される。LTEとUMTSとがRRUの第3のチャネルおよび第4のチャネルを共有するとき、RRUの第1のチャネルおよび第2のチャネルの一部の送信電力は使用することができない。その結果、送信電力の無駄の問題が存在する。特に、2送信2受信モード（2T2R）から4送信4受信モード（4T4R）に変化したLTEは、RRUのいくつかのチャネルをUMTSと共有する必要があるので、LTE送信電力が小さくなる。その結果、LTEネットワークのカバレッジ性能が低下する。
【００２３】
本発明の一実施形態は、RRUのチャネル送信電力設定方法を提供する。図2は、本発明の一実施形態に係る、可能なRRUのチャネル送信電力設定の概略フローチャートである。
【００２４】
201．第1の基地局が、第1のUEに信号を、RRUの第1のチャネルおよび第2のチャネルをそれぞれ使用して第1の電力で送信する。
【００２５】
202．第1の基地局が、UEに信号を、RRUの第3のチャネルおよび第4のチャネルをそれぞれ使用して第2の電力で送信する。
【００２６】
第2の電力と第3の電力との合計は、第1の電力以下であり、第3の電力は、第2の基地局によって、第2のUEに信号を、RRUの第3のチャネルおよび第4のチャネルを使用して送信するために使用される。第1の基地局および第2の基地局は、異なった規格の基地局である。
【００２７】
所望により、第2の基地局が第2のUEと単一のアンテナを使用して通信する場合、第2の基地局は、第2のUEに信号を、RRUの第4のチャネルを使用して第3の電力でのみ送信する。第1の基地局については、第1の基地局は、UEに信号を、RRUの第4のチャネルを使用して第2の電力で送信し、また、UEに信号を、RRUの第3のチャネルを使用して第2の電力または第1の電力で送信し得る。第1の基地局がUEに信号を、RRUの第3のチャネルを使用して第2の電力で送信する場合、RRUの第3のチャネルの一部の電力は使用されないものの、RRUのチャネル電力の無駄の問題は、従来技術に比べて軽減される。
【００２８】
第1の基地局は、LTEのeNBであり得る。eNBは、LTEのUEに信号を、RRUの第1のチャネルおよび第2のチャネルをそれぞれ使用して第1の電力で送信し、また、eNBは、LTEのUEに信号を、RRUの第3のチャネルおよび第4のチャネルをそれぞれ使用して第2の電力で送信する。つまり、eNBは、LTEのUEに信号を、4個のチャネルを有するRRUを使用して4個のアンテナを使用して送信する。RRUの第3のチャネルおよび第4のチャネルの第3の電力は予約されている。第3の電力は、GSMの基地局またはUMTSの基地局によって、GSMのUEまたはUMTSのUEに信号を、第3のチャネルおよび第4のチャネルを使用して送信するために使用される。第2の電力と第3の電力との合計は、第1の電力と等しい。所望により、第2の電力と第3の電力との合計は、第1の電力未満である。所望により、第1の基地局は、LTE−Aの基地局であり得る。
【００２９】
信号はLTEのUEに、RRUの第1のチャネルおよび第2のチャネルをそれぞれ使用して第1の電力で送信され、また、信号はLTEのUEに、RRUの第3のチャネルおよび第4のチャネルをそれぞれ使用して第2の電力で送信され、その結果、LTEの基地局と非LTEの基地局とがRRUのいくつかのチャネルを共有するシナリオにおけるRRUのチャネル電力の無駄の問題が避けられる。また、信号は第1のチャネルおよび第2のチャネルを使用してフルの電力で送信されるので、LTEネットワークのカバレッジ性能の低下も避けられる。
【００３０】
2T2RのLTEの基地局およびUMTSの基地局は、4チャネルを有するRRUを共有する。LTEの基地局は、RRUの第1のチャネルおよび第2のチャネルを使用してLTEのUEと通信し、UMTSの基地局は、RRUの第3のチャネルおよび第4のチャネルを使用してUMTSのUEと通信する。LTEが2T2Rから4T4Rに変化したとき、LTEの基地局はRRUの4個のチャネルを使用する。このようにして、LTEの基地局とUMTSの基地局とが、RRUの第3のチャネルおよび第4のチャネルを共有する。
【００３１】
RRUのチャネル送信電力設定方法を以下に詳細に記載する。
【００３２】
eNBは、UMTSの基地局によって使用される第3の電力を取得する。所望により、eNBとUMTSの基地局とが、第3の電力を取得するために情報を交換するか、またはeNBが、ネットワーク管理設定をとおして第3の電力を取得する。
【００３３】
eNBは、RSのRE電力、PA、およびPBに基づいて第1の電力を決定する。
【００３４】
eNBは、第1の電力および第3の電力に基づいて第2の電力を決定する。第2の電力と第3の電力との合計は、第1の電力以下である。
【００３５】
eNBは、LTEのUEに信号を、RRUの第1のチャネルおよび第2のチャネルをそれぞれ使用して第1の電力で送信し、また、LTEのUEに信号を、RRUの第3のチャネルおよび第4のチャネルをそれぞれ使用して第2の電力で送信する。UMTSの基地局は、UMTSのUEに信号を、RRUの第3のチャネルおよび第4のチャネルをそれぞれ使用して第3の電力で送信し得る。
【００３６】
所望により、eNBは、第1の電力および第3の電力に基づいて減衰係数を決定し、eNBは、第1の電力および減衰係数に基づいて第2の電力を取得し、および使用する。
【００３７】
eNBは、LTEのUEに信号を、RRUの第1のチャネルおよび第2のチャネルをそれぞれ使用して第1の電力で送信し、つまり、eNBとUMTSの基地局とがRRUを共有するとき、eNBは、第1のチャネルおよび第2のチャネルの送信電力を低下させない。したがって、LTEのUEのパイロット測定は影響されず、したがって、LTEネットワークのカバレッジ性能を確保する。
【００３８】
当業者にとっては、前述の方法は、より多くのチャネルを有するRRU（例えば、8チャネルを有するRRU）にも適用できる。
【００３９】
前述の機能を実施するために、UEおよびeNBなどのネットワークエレメントは、機能を実行するための対応するハードウェア構造および／またはソフトウェアモジュールを含むことが理解され得る。当業者であれば、この明細書に開示されている実施形態に記載のユニットおよびソリューションステップの例と組み合わせて、本発明がコンピュータソフトウェアの形式、ハードウェアの形式、またはハードウェアとコンピュータソフトウェアとの組合せの形式によって実施され得ることを容易に認識するべきである。機能がハードウェアを使用して実行されるのか、コンピュータソフトウェアを使用して実行されるのか、それともコンピュータソフトウェアを使用してハードウェアを駆動することによって実行されるのかは、特定のアプリケーションおよび技術ソリューションの設計制約条件に依存する。当業者であれば、記載された機能を各特定のアプリケーション用に実施するために異なった方法を使用し得るが、その実施は本発明の範囲を逸脱すると考えるべきではない。
【００４０】
図3は、本発明の一実施形態に係る、可能な第1の基地局の概略構成図である。第1の基地局は、図2のRRUのチャネル送信電力設定方法を実施する。その結果、RRUのチャネル送信電力設定方法の有益な効果も実現することができる。第1の基地局は、eNBまたはLTE−Aの基地局であり得る。第1の基地局は、プロセッサ301と送受信機302とを備える。
【００４１】
プロセッサ301は、送受信機302を使用して、第1のUEに信号を、RRUの第1のチャネルおよび第2のチャネルをそれぞれ使用して第1の電力で送信するように構成され、プロセッサ301は、UEに信号を、RRUの第3のチャネルおよび第4のチャネルをそれぞれ使用して第2の電力で送信するようにさらに構成される。第2の電力と第3の電力との合計は、第1の電力以下で、第3の電力は、第2の基地局によって第2のUEに信号を、RRUの第3のチャネルおよび第4のチャネルを使用して送信するために使用される。第1の基地局および第2の基地局は、異なった規格の基地局である。所望により、第2の基地局は、GSMの基地局またはUMTSの基地局である。
【００４２】
第1の基地局は、インタフェース303をさらに備え得る。プロセッサ301は、インタフェース303を使用して第3の電力を取得する。
【００４３】
所望により、プロセッサ301は、第1の電力および第3の電力に基づいて減衰係数を決定し、第1の電力および減衰係数に基づいて第2の電力を取得する。
【００４４】
第1の基地局は、メモリ304をさらに備え得る。メモリ304は、プログラムコードおよび／またはデータを記憶するように構成される。プロセッサ301は、前述の処理を実行するために、メモリ304に記憶されたプログラムコードを起動する。
【００４５】
図3は、第1の基地局の設計のみを示していることが理解され得る。実際のアプリケーションでは、第1の基地局は任意の数のプロセッサ、送受信機、メモリなどを備え得る。本発明の実施形態を実施することができるすべての基地局は、本発明の保護範囲内に入る。
【００４６】
図4は、本発明の一実施形態に係る、別の可能な第1の基地局の概略構成図である。装置は、図2のRRUのチャネル送信電力設定方法を実施する。その結果、RRUのチャネル送信電力設定方法の有益な効果も実現することができる。第1の基地局は、eNBまたはLTE−Aの基地局であり得る。第1の基地局は、処理ユニット401と送受信ユニット402とを備える。
【００４７】
処理ユニット401は、送受信ユニット402を使用して、第1のUEに信号を、RRUの第1のチャネルおよび第2のチャネルをそれぞれ使用して第1の電力で送信し、処理ユニット401は、UEに信号を、RRUの第3のチャネルおよび第4のチャネルをそれぞれ使用して第2の電力で送信するようにさらに構成される。第2の電力と第3の電力との合計は、第1の電力以下で、第3の電力は、第2の基地局によって第2のUEに信号を、RRUの第3のチャネルおよび第4のチャネルを使用して送信するために使用される。第1の基地局および第2の基地局は、異なった規格の基地局である。所望により、第2の基地局は、GSMの基地局またはUMTSの基地局である。
【００４８】
第1の基地局は、インタフェースユニット403をさらに備え得る。処理ユニット401は、インタフェースユニット403を使用して第3の電力を取得する。
【００４９】
所望により、処理ユニット401は、第1の電力および第3の電力に基づいて減衰係数を決定し、第1の電力および減衰係数に基づいて第2の電力を取得する。
【００５０】
本発明のこの実施形態における第1の基地局は、前述の方法のステップ／動作を実施し、第1の基地局のコンポーネントの機能が、前述の方法の実施形態における方法に基づいて具体的に実施され得る。その具体的な実施プロセスについては、前述の方法の実施形態の関連する記述を参照されたい。
【００５１】
本発明の実施形態におけるRRUのチャネル送信電力設定を実行するように構成されたプロセッサは、中央処理装置（CPU）、汎用プロセッサ、デジタルシグナルプロセッサ（DSP）、特定用途向け集積回路（ASIC）、フィールドプログラマブルゲートアレイ（FPGA）もしくは別のプログラマブルロジックデバイス、トランジスタロジックデバイス、ハードウェアコンポーネント、またはそれらの任意の組合せであり得る。プロセッサは、本発明の開示を参照しつつ記載されているロジックブロックおよびモジュールのさまざまな例を実施または実行し得る。
【００５２】
当業者であれば、本発明に記載の前述の例、機能の、1または複数が、ハードウェア、ソフトウェア、ファームウェア、またはそれらの任意の組合せを使用して実施され得ることを認識するべきである。本願がソフトウェアを使用して実施されたとき、これらの機能は、コンピュータ可読媒体に記憶され得るか、または1または複数の命令もしくはコードとしてコンピュータ可読媒体内で送信され得る。コンピュータ可読媒体には、コンピュータ記憶媒体、および通信媒体が含まれる。通信媒体には、コンピュータプログラムまたは関連情報が、1つの場所から別の場所へ送信されるようにできる任意の媒体が含まれる。記憶媒体は、汎用コンピュータまたは専用コンピュータにアクセスできる任意の利用可能な媒体であり得る。
【００５３】
本発明の目的、技術ソリューション、および有益な効果が、前述の具体的な実施形態において詳細にさらに記載されている。前述の記載は、単に本発明の具体的な実施態様に過ぎず、本発明の保護範囲を限定することを意図するものではないことが理解されるべきである。本発明の技術ソリューションに基づいてなされた、いかなる変形、等価な置き換え、または改善も、本発明の保護範囲内にあるものとする。
【符号の説明】
【００５４】
10  基地局
20  基地局
101  BBU
102  RRU
103  アンテナ
104  LTE端末
201  BBU
203  アンテナ
204  端末
301  プロセッサ
302  送受信機
303  インタフェース
304  メモリ
401  処理ユニット
402  送受信ユニット
403  インタフェースユニット
【図１】
2019521585.tif 000005
【図２】
2019521585.tif 000006
【図３】
2019521585.tif 000007
【図４】
2019521585.tif 000008
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
リモート無線ユニット（RRU）のチャネル送信電力設定方法であって、前記方法は、
evolved NodeB （eNB）によって、ロングタームエボリューション（LTE）のユーザ機器UEに信号を、RRUの第1のチャネルおよび第2のチャネルをそれぞれ使用して第1の電力で送信するステップと、
前記eNBによって、前記LTEのUEに信号を、前記RRUの第3のチャネルおよび第4のチャネルをそれぞれ使用して第2の電力で送信するステップと、
を含み、
前記第2の電力と第3の電力との合計は、前記第1の電力以下で、前記第3の電力は、非LTEの基地局によって非LTEのUEに信号を、前記RRUの前記第3のチャネルおよび前記第4のチャネルを使用して送信するために使用される、
方法。
【請求項２】
前記eNBは、参照信号（RS）のリソースエレメント（RE）電力、PA、およびPBに基づいて前記第1の電力を決定し、PAは、前記RSの前記RE電力と、RSがない直交周波数分割多重（OFDM）シンボル内の物理ダウンリンク共有チャネル（PDSCH）のRE電力との間のオフセットであり、PBは、RSがあるOFDMシンボル内のPDSCHのRE電力の、RSがない前記OFDMシンボル内の前記PDSCHの前記RE電力に対する比である、請求項1に記載の方法。
【請求項３】
前記eNBは、前記第3の電力を取得する、請求項1または2に記載の方法。
【請求項４】
前記非LTEの基地局は、
グローバル移動通信システム（GSM（登録商標、以下同じ））の基地局、または
ユニバーサル移動通信システム（UMTS）の基地局
を備える、請求項1から3のいずれか一項に記載の方法。
【請求項５】
処理ユニットと送受信ユニットとを備える基地局であって、
前記処理ユニットは、前記送受信ユニットを使用して、ロングタームエボリューション（LTE）のユーザ機器（UE）に信号を、リモート無線ユニット（RRU）の第1のチャネルおよび第2のチャネルをそれぞれ使用して第1の電力で送信するように構成され、
前記処理ユニットは、前記送受信ユニットを使用して、前記LTEのUEに信号を、前記RRUの第3のチャネルおよび第4のチャネルをそれぞれ使用して第2の電力で送信するようにさらに構成され、
前記第2の電力と第3の電力との合計は、前記第1の電力以下で、前記第3の電力は、非LTEの基地局によって非LTEのUEに信号を、前記RRUの前記第3のチャネルおよび前記第4のチャネルを使用して送信するために使用される、
基地局。
【請求項６】
前記処理ユニットは、参照信号（RS）のリソースエレメント（RE）電力、PA、およびPBに基づいて前記第1の電力を決定するように構成され、PAは、前記RSの前記RE電力と、RSがない直交周波数分割多重（OFDM）シンボル内の物理ダウンリンク共有チャネル（PDSCH）のRE電力との間のオフセットであり、PBは、RSがあるOFDMシンボル内のPDSCHのRE電力の、RSがない前記OFDMシンボル内の前記PDSCHの前記RE電力に対する比である、請求項5に記載の基地局。
【請求項７】
前記基地局は、インタフェースユニットをさらに備え、前記処理ユニットは、前記インタフェースユニットを使用して前記第3の電力を取得するように構成される、請求項5または6に記載の基地局。
【請求項８】
前記非LTEの基地局は、
グローバル移動通信システム（GSM）の基地局、または
ユニバーサル移動通信システム（UMTS）の基地局
を備える、請求項5から7のいずれか一項に記載の基地局。
【請求項９】
プロセッサと送受信機とを備える基地局であって、
前記プロセッサは、前記送受信機を使用して、ロングタームエボリューション（LTE）のユーザ機器（UE）に信号を、リモート無線ユニット（RRU）の第1のチャネルおよび第2のチャネルをそれぞれ使用して第1の電力で送信するように構成され、
前記プロセッサは、前記送受信機を使用して、前記LTEのUEに信号を、前記RRUの第3のチャネルおよび第4のチャネルをそれぞれ使用して第2の電力で送信するようにさらに構成され、
前記第2の電力と第3の電力との合計は、前記第1の電力以下で、前記第3の電力は、非LTEの基地局によって非LTEのUEに信号を、前記RRUの前記第3のチャネルおよび前記第4のチャネルを使用して送信するために使用される、
基地局。
【国際調査報告】
2019521585.tif 000009
2019521585.tif 000010
2019521585.tif 000011
2019521585.tif 000012